(57)【要約】【課題】カメラ撮影時に被写体の音声を録音することができる携帯電話装置を提供することを目的としている。【解決手段】第一の筐体と第二の筐体を開閉自在に支持する携帯電話装置に、第一の筐体又は第二筐体の外側に第一のマイクロフォン及びカメラと、第二の筐体に第二のマイクロフォンを設けることで、撮影するときは第一の筐体１の外側と被写体Bが向かい合うこととなり、被写体の発する音声等を第一のマイクロフォンで直接受け、より確実に撮影しつつ音声を録音することができるようにした。【選択図】図１
2005136569.tif 000002
【特許請求の範囲】
【請求項１】
第一の筐体と第二の筐体を開閉自在に支持する携帯電話装置であって、
前記第一の筐体又は前記第二の筐体の外側に第一のマイクロフォン及びカメラを、
前記第二の筐体に第二のマイクロフォンを
設けた携帯電話装置。
【請求項２】
前記第一のマイクロフォンの利得及び前記第二のマイクロフォンの利得を調整する利得調整手段を設けた請求項１記載の携帯電話装置。
【請求項３】
前記利得調整手段は、
前記第一のマイクロフォンの利得を第一の筐体が閉じている時は開いていたときより大きくする
請求項２記載の携帯電話装置。
【請求項４】
前記カメラを動作させている時に前記第一のマイクロフォンを動作させるようにした請求項１記載の携帯電話装置。
【請求項５】
前記カメラを動作させている時に前記第二のマイクロフォンを動作させるようにした請求項１記載の携帯電話装置。
【請求項６】
前記第一のマイクロフォンと前記第二のマイクロフォンの動作を切り替えるマイクロフォン切り替え手段を設けた請求項１記載の携帯電話装置。
【発明の詳細な説明】
【技術分野】
【０００１】
本発明は、マイクロフォン及びカメラを備えた携帯電話装置に関する。
【背景技術】
【０００２】
近年、携帯電話装置に関する技術進歩は目覚しく、カメラや音声録音機能等を搭載した携帯電話装置がある（例えば特許文献１）。特に音声録音機能を搭載した携帯電話装置の例としては、一つの送話用マイクロフォンに近接する位置にもう一つマイクロフォンを備えた携帯電話装置がある。
【０００３】
上記の携帯電話装置は、図１２、図１３に示すように、第一の筐体１００及び第二の筐体１０１がヒンジ１０２で一体化され、かつ互いに回転可能に支持されていて、筐体をそれぞれの対向面１００ａ、１０１ａを接近させて二つ折りにできる。図１２は筐体を開いた状態、図１３は筐体を二つ折りした状態である。第一の筐体１００にはイヤースピーカ開口部１０３とアンテナ１０６が設けられている。第二の筐体１０１には第一のマイクロフォン用開口部１０４、キー操作部１０５が設けられ、また第一のマイクロフォン用開口部１０４に対向する位置に第二のマイクロフォン用開口部１０７が設けられている。そして第一のマイクロフォン開口部１０４及び第二のマイクロフォン開口部１０７の内部には、それぞれ第一及び第二のマイクロフォンが備えられ、これらマイクロフォンに入る音声を録音する装置が携帯電話装置内部に備えられる。
【０００４】
そして上記携帯電話装置を開いている状態の時には、第一のマイクロフォンの利得を大きくする。また、上記携帯電話装置を二つ折りにした状態の時には、第二のマイクロフォンの利得を大きくする。これにより、通常の携帯電話として使用するだけではなく、携帯電話装置を開いた状態でも二つ折りにした状態でも効率良く音声を録音することができる（例えば特許文献２）。
【特許文献１】特開平１１−２１５２１７号公報（第４頁、第１図）
【特許文献２】特開平９−９３３１８号公報（第４、５頁、第１，２図）
【発明の開示】
【発明が解決しようとする課題】
【０００５】
しかしながら、上記の携帯電話装置において、第一の筐体１００にカメラを備え、カメラで撮影しながら音声を録音することを想定すると、カメラ側にマイクロフォンを設けていないため、携帯電話装置のカメラを被写体に向けた状態で被写体の発する音声を録音しつつ撮影することはできなかった。
【０００６】
また、カメラで撮影しながら音声を録音し、あるいはボイスレコーダーとして携帯電話を使用することを考えると、上記の携帯電話装置のように、携帯電話装置の開閉状態に応じてマイクロフォンの利得を変えるだけでは、マイクロフォンにより十分に音声をひろうことができなかった。
【０００７】
そこで本発明は、筐体の外側にカメラとマイクロフォンを設けることで、カメラ撮影時に被写体の音声を録音しあるいは送出することができる携帯電話装置を提供することを第一の目的としている。
【０００８】
そして、カメラで撮影しながら音声を録音しあるいは送出する、またはボイスレコーダーとして使用したとしても、確実に音声を録音することができる携帯電話装置を提供することを第二の目的としている。
【課題を解決するための手段】
【０００９】
本発明は、第一の筐体と第二の筐体を開閉自在に支持する携帯電話装置であって、前記第一の筐体又は前記第二の筐体の外側に第一のマイクロフォン及びカメラを、前記第二の筐体に第二のマイクロフォンを設けた携帯電話装置である。これによって、カメラで撮影をしながら被写体の音声を録音等することができる。
【００１０】
また本発明は、前記第一のマイクロフォンの利得及び前記第二のマイクロフォンの利得を調整する利得調整手段を設けた携帯電話装置である。これによって、携帯電話の使用状況に応じてマイクロフォンの利得を調整することができ、確実に音声を録音等することができる。
【００１１】
また本発明は、前記利得調整手段は、前記第一のマイクロフォンの利得を第一の筐体が閉じている時は開いていたときより大きくする携帯電話装置である。これによって、携帯電話装置をボイスレコーダーとして使用しているとき、確実に音声を録音等することができる。
【００１２】
また本発明は、前記カメラを動作させている時に前記第一のマイクロフォンを動作させるようにした携帯電話装置である。これによって、カメラで撮影しながらでも、確実に被写体の音声を録音等することができる。
【００１３】
また本発明は、前記カメラを動作させている時に前記第二のマイクロフォンを動作させるようにした携帯電話装置である。これによって、カメラで撮影しながらでも、確実に音声を録音等することができる。
【００１４】
前記第一のマイクロフォンと前記第二のマイクロフォンの動作を切り替えるマイクロフォン切り替え手段を設けた携帯電話装置である。これによって、携帯電話の使用状況に応じてマイクロフォンを動作させることができる。
【発明の効果】
【００１５】
本発明によれば、携帯電話装置にカメラとマイクロフォンを設け使用状況に応じてマイクロフォンの利得を切り替えるようにしているため、ボイスレコーダーとしての機能を有しつつ、カメラ撮影時に被写体の音声を録音しあるいは送出することができる。
【発明を実施するための最良の形態】
【００１６】
（実施の形態１）
以下、本発明の第１の実施の形態に係る携帯電話装置を図面と共に説明する。図１は、本発明の第１の実施の形態に係る携帯電話装置であり、筐体を開いた状態の外観図である。１は第一の筐体を２は第二の筐体を示し、ヒンジ３にて支持されており、開閉自在にすることができる。第一の筐体１の外側にはカメラ５及び第一のマイクロフォン１１が備えられ、カメラ５のレンズを通した映像をメインディスプレイ６に映し出すことができる。７はスピーカであって第一の筐体の内側に備えられ、通話中の使用者は、スピーカ７から通話相手の音声を聞き取ることができる。第二の筐体２には、第二のマイクロフォン８が備えられており、使用者の音声等をひろう。また９はテンキーであって、携帯電話装置を制御するための操作ボタンとなる。第二の筐体２の側面には、カメラ用ボタン１２と録音ボタン１３が設けてある。カメラ用ボタン１２を所定時間、長押しするとカメラモードになり、カメラモードになった状態でカメラ用ボタン１２を再び押すと、撮影した画像とマイクロフォン１１がひろった音声をメモリに保存するようにしている。
【００１７】
図２は、本発明の第１の実施の形態に係る携帯電話装置であり、筐体を閉じた状態の外
観図である。第一の筐体１の外側にはカメラ５及びサブディスプレイ１０が備えられ、サブディスプレイ１０にはカメラ５のレンズを通した映像を映し出すことができる。また１１は第一のマイクロフォンであって、外部の音声をひろうことができる。そのため、図２のように筐体を閉じた状態でも、カメラ用ボタン１２を用いて撮影した画像と第一のマイクロフォン１１でひろった音声をメモリに保存することができる。また、これとは別に録音ボタン１３を押すとマイクロフォン１１により周囲の音声を録音するボイスレコーダーとして使うことができる。
【００１８】
図３は、本発明の第１の実施の形態に係る携帯電話装置の構成のブロック図である。３１はカメラ制御手段でありカメラ５の動作を制御する。３３はディスプレイ制御手段でありメインディスプレイ６及びサブディスプレイ１０を制御し、ディスプレイ切り替え手段３４により動作するディスプレイを切り替える。３５はマイクロフォン制御手段であり第一のマイクロフォン１１及び第二のマイクロフォン８を制御し、マイクロフォン切り替え手段３６により動作するマイクロフォンを切り替え、利得調整手段３７により動作するマイクロフォンの利得を調整する。すなわち、利得調整手段３７により第一のマイクロフォン１１の利得が調整され利得が大きくなった場合は、第一の筐体１の外側の音声がよりひろいやすくなる。一方、第二のマイクロフォン８の利得が調整され利得が大きくなった場合は、第二の筐体２の内側の音声がよりひろいやすくなる。マイクロフォン制御手段３５は全体制御手段４１に備えられた音声処理手段に接続される。音声処理手段はマイクロフォンからの音声信号をディジタル信号に変えメモリ４０に記憶したり無線手段により他の携帯電話装置に送信できるようにする。３８は開閉検出手段であって、筐体が開いている状態であるか閉じている状態であるかを検出する。３９はテンキー９等のキー操作部であって、マイクロフォン切り替え手段３６の切り替え及び利得調整手段３７の制御等の各種機能の動作を操作する。４０はメモリであって、カメラ５等で撮影した画像や第一のマイクロフォン１１でひろった音声を録音した音声データ等を保存する記憶媒体である。４１は全体制御手段であって、携帯電話装置に備えられるカメラ機能及び録音機能等を制御する。そして、カメラ用ボタン１２を長押しすることで、全体制御手段４１にカメラモードの動作制御を開始させ、カメラ制御手段３１とマイクロフォン制御手段３５によりカメラ５で画像信号を、第一のマイクロフォン１１又は第二のマイクロフォン８で音声信号を取り込んで、メインディスプレイ６又はサブディスプレイ１０にモニター画像を表示するようにしている。モニター画像を表示しているときに再びカメラ用ボタン１２が押されると、表示していた画像とカメラ用ボタン１２が押されてから所定時間、例えば１０秒間の音声をメモリ４０に保存する。録音ボタン１３を押すことにより全体制御手段４１に録音モードの動作制御を開始させ、押している間にマイクロフォンに入力される音声をメモリ４０に保存するようにしている。使用者は、キー操作部３９を操作することで、全体制御手段４１を介して通信制御部２０３を制御することができる。
【００１９】
２０１はアンテナであり、このアンテナ２０１に送受信部２０２を接続している。この送受信部２０２は、送信／受信を振り分けるアンテナスイッチを備えており、アンテナ２０１からの信号の受信、アンテナ２０１への信号の送信を行う。そして、この送受信部２０２に通信制御部２０３を接続する。通信制御部２０３は、送受信部２０２へ信号を送受信し、全体制御手段４１から送られる音声データの制御や、全体制御手段４１へ信号の送信等を行う。また通信制御部にはインターネット接続機能を持たせており、カメラで撮影した映像や第一のマイクロフォン１１を通じ録音した音声データ等をメール配信することができる。
【００２０】
以上のように構成された携帯電話装置について、以下その動作を図４を用いて説明する。図４は上記の実施の形態に係る携帯電話装置を用いて、使用者Ａが被写体であるＢを撮影しつつ、Ｂの音声を録音している場合の外観図である。
【００２１】
まず使用者Ａは本発明に係る携帯電話装置を開いた状態にし、カメラ用ボタン１２を長押しして全体制御手段４１を操作し、カメラ５を動作させることで使用者Ａの対面にいる被写体Ｂを撮影する。このとき、開閉検出手段３８は筐体が開いていることを検知し、全体制御手段４１はディスプレイ制御手段３３を制御しディスプレイ切り替え手段３４によりメインディスプレイ６を動作させ、マイクロフォン制御手段３５を制御しマイクロフォン切り替え手段３６により第一のマイクロフォン１１を動作させる。これにより、使用者はメインディスプレイ６を見て被写体Ｂのモニター画像を確認して再びカメラボタン１２を押すことにより画像をメモリ４０に保存することができ、またカメラ５を動作させている時に第一のマイクロフォン１１を動作させ、利得調整手段３７により第一のマイクロフォンの利得を大きくし、カメラ用ボタン１２を押してからの所定時間、例えば１０秒間の音声をメモリに保存する。
【００２２】
これによって、使用者Ａはカメラ５で被写体Ｂを撮影しつつ被写体Ｂの音声を録音することができる。また本発明に係る携帯電話装置は、メモリ４０を備えているため、上記のように撮影した画像及び録音したデータを保存するだけでなく、メモリ４０から読み出すこともできる。さらには通信制御部２０３により被写体Ｂの音声のついた画像をメールで配信することができる。
【００２３】
また本発明に係る携帯電話装置は、第一の筐体１の外側に第一のマイクロフォン１１及びカメラ５を備えているため、撮影するときは第一の筐体１の外側と被写体Ｂが向かい合うこととなり、被写体Ｂの発する音声を第一のマイクロフォン１１で直接受けることができる。そのため、より確実に撮影しつつ音声を録音することができる。
【００２４】
さらに本発明に係る携帯電話装置は、利得調整手段３７により第一のマイクロフォン１１が動作しているときに利得を大きくすることができるため、より確実に撮影しつつ音声を録音することができる。
【００２５】
次に図５は、本発明に係る携帯電話装置を閉じた状態で使用し、使用者Ａが被写体であるＡを撮影しつつ、Ａの音声を録音している場合の外観図である。図５において、使用者Ａは本発明に係る携帯電話装置を筐体が閉じている状態で使用し、自分自身を撮影する。まず使用者Ａはカメラ用ボタン１２を操作して第一のカメラ５を動作させるよう制御する。また撮影時に使用者Ａの声を録音するためにマイクロフォンを動作させる。そして、使用者Ａは第一の筐体が閉じている状態で自らを撮影しつつ音声を第一のマイクロフォン１１に向かって発する。この際に、開閉検出手段３８は筐体が閉じていることを検知し、全体制御手段４１はディスプレイ制御手段３３を制御しディスプレイ切り替え手段３４によりサブディスプレイ１０を動作させ、マイクロフォン制御手段３５を制御しマイクロフォン切り替え手段３６により第一のマイクロフォン１１を動作させる。これにより、使用者はサブディスプレイ１０を見て被写体Ａとカメラ５の距離等を調整することができ、またカメラ５を動作させている時に第一のマイクロフォン１１を動作させて撮影しつつ音声を録音することができる。さらに被写体Ａの音声を録音するときは、利得調整手段３７により第一のマイクロフォンの利得を大きくするようにする。
【００２６】
これによって、使用者Ａはカメラ５で被写体Ａを撮影しつつ被写体Ａの音声を録音することができる。また本発明に係る携帯電話装置は、メモリ４０を備えているため、上記のように撮影した画像及び録音したデータを保存するだけでなくメモリ４０から読み出すこともできる。さらには通信制御部２０３により被写体の音声のついた画像をメールで配信することができる。
【００２７】
また本発明に係る携帯電話装置は、第一の筐体１の外側に第一のマイクロフォン１１及びカメラ５を備えているため、撮影するときは第一の筐体１の外側と被写体Ａが向かい合
うこととなり、被写体Ａの発する音声を第一のマイクロフォン１１で直接受けることができる。そのため、より確実に撮影しつつ音声を録音することができる。
【００２８】
さらに本発明に係る携帯電話装置は、利得調整手段３７により第一のマイクロフォン１１が動作しているときに利得を大きくすることができるため、より確実に撮影しつつ音声を録音することができる。
【００２９】
なお、上記の実施の形態では、第一の筐体１と第二の筐体２はヒンジ３にて支持されているが、ヒンジ以外の構成で支持しても良い。
【００３０】
また本発明に係る携帯電話装置は、カメラ５は動作させずにマイクロフォンを動作させることで、ボイスレコーダーとして使用することができる。具体的には、使用者はまず使用者Ａは録音ボタン１３を操作して第一のマイクロフォン１１を動作させ、カメラ５を動作させないように制御する。そして、使用者Ａは第一の筐体５が閉じている状態で第二の筐体２の外側の面が接するように机等の携帯電話装置を置く。この際に、開閉検出手段３８は筐体が閉じていることを検知し、全体制御手段４１は利得調整手段３７を制御し第一のマイクロフォン１１の利得を大きくする。この第一のマイクロフォン１１の利得は、実施の形態１のように筐体を開いていたときよりも大きくなるようにする。
【００３１】
これによって、使用者は本発明に係る携帯電話装置をボイスレコーダーとして使用することができる。また第一のマイクロフォン１１の利得を筐体が閉じているときは開いているときより大きくしたため、第一のマイクロフォン１１はより携帯電話装置周辺の音声をひろうことができ、確実に音声を録音することができる。
【００３２】
図６に本発明の第一の実施の形態に係る携帯電話装置の制御動作のフローチャートを示す。携帯電話装置のキー操作部３９の図示しない電源ボタンを押して電源を入れると（ステップＳ１）、全体制御手段４１は送受信部２０２と通信制御部２０３に電源を投入し、図示しない携帯電話通信網に対して制御信号を間欠送受信して着信待ち受け状態になる（ステップＳ２）。着信があり（ステップＳ３）、キー操作部３９から通話開始の信号が入力されると、全体制御手段４１は通話モードの制御を開始する（ステップＳ４）。マイクロフォン制御手段３５は、利得調整手段３７によりマイクロフォン１１の利得をゼロにする。また、マイクロフォン８の利得を予め定めた通常通話レベルにする（ステップＳ６）。これにより、第一の筐体１の外側にあるマイクロフォン１１は音を拾わなくなり、第二の筐体２のマイクロフォン８で通話者の音声を拾うようにしている。その後、キー操作部３９から通話を終了する信号が入力されると、全体制御手段４１は通話を終了する（ステップＳ７）。
【００３３】
なお、着信待ち受け状態で（ステップＳ２）、着信が無い状態で（ステップＳ３）、第二の筐体２の側面にあるカメラ用ボタン１２が所定時間、例えば１秒間以上、長押しされると（ステップＳ８）、全体制御手段４１は、カメラモードの制御を開始する（ステップＳ９）。全体制御手段４１は、開閉検出手段３８により、筐体の開閉状態を検出し、第一の筐体１が開いていたときには（ステップＳ１０）、マイクロフォン１１の利得を前述のマイクロフォン８で説明した通常の通話レベルよりも利得を大きくする。なお、マイクロフォン８の利得は通常の通話レベルにする。同時に、カメラ５を動作させ、デイスプレイ６にカメラ５からの画像をモニター表示する（ステップＳ１１）。使用者は、ディスプレイ６のモニター表示を見て、カメラ用ボタン１２を再び押すと（ステップＳ１２）、全体制御手段４１は、カメラ用ボタン１２が押されたときの画像をカメラ制御手段３１から受け取ってメモリ４０に保存する。そして、マイクロフォン１１とマイクロフォン８から入力される音声信号が、カメラ用ボタン１２が押されてから所定時間、例えば１０秒間分、マイクロフォン制御手段３５から全体制御手段４１に受け渡されメモリ４０に保存される
（ステップＳ１３）。このまま、再びカメラ用ボタン１２を押すと、新たな画像と新たな音声をメモリ４０に保存する。キー操作部３９からカメラモード終了信号が入力されると、全体制御手段４１は、カメラモードを終了する（ステップＳ１４）。
【００３４】
ステップＳ９で、カメラモードの制御が始まったときに、筐体が閉じていたときには（ステップＳ１０）、全体制御手段４１は、マイクロフォン１１の利得を通常の通話レベルより大きくし、マイクロフォン８の利得をゼロにする。そして、カメラ５を動作させ、カメラ５で撮像する画像をディスプレイ１０にモニター表示する（ステップＳ１７）。このことにより、第一の筐体１を閉じた状態で再びカメラ用ボタン１２を押すと（ステップＳ１２）、カメラ５からの画像とマイクロフォン１１からの音声をメモリ４０に保存する（ステップＳ１３）。キー操作部３９からカメラモード終了信号が入力されると、全体制御手段４１は、カメラモードを終了する（ステップＳ１４）。
【００３５】
なお、図６のステップＳ１１あるいはステップＳ１７でモニター表示しているときに、カメラ用ボタン１２が押される代わりに、開いていた第一の筐体１が閉じたり、逆に閉じていた第一の筐体１が開いたときには、第一の筐体１の開閉状態に応じて、モニター表示するディスプレイを切り替え、マイクロフォン８の利得を変更している。
【００３６】
着信待ち受け状態で、着信が無く、カメラ用ボタン１２も押されていない状態で、第一の筐体１の側面にある録音ボタン１３が長押されると（ステップＳ１５）、全体制御手段４１は、録音モードを開始する（ステップＳ１６）。図６では、録音モードの動作のフローチャートの詳細を省略しているが、録音モードでは、録音ボタン１３が押されると、マイクロフォン１１が拾う音声信号をメモリ４０に保存するようにしている。
【００３７】
以上説明したように、本発明の第一の実施の形態に係る携帯電話装置によれば、着信待ち受け時に着信があれば、通話モードで通常の通話をすることができ、着信待ち受け時にカメラ用ボタン１２が長押しされると、カメラモードでカメラ５による画像とマイクロフォンからの音声を保存することができる。
【００３８】
なお画像と音声の保存については、第一の筐体１を開いたときはもちろん、第一の筐体１を閉じたときでもマイクロフォンの利得を切り替え、またモニター表示するディスプレイを切り替えて保存することができる。
【００３９】
また、着信待ち受け時に録音ボタン１３が長押しされると、録音モードで、録音ボタン１３を押している時、のマイクロフォン１１からの音声がメモリ４０に保存してボイスレコーダーとして使用することも可能である。
【００４０】
さらに、上記の実施の形態では、カメラ動作時にメインディスプレイ６を動作させるようにしたが、サブディスプレイ１０を動作させ、被写体Ｂが撮影状態を確認できるようにしても良い。また、第一のマイクロフォン１１だけではなく、第二のマイクロフォンを動作させ利得を大きくしてよい。これにより、被写体Ｂだけではなく使用者Ａの音声も録音することができる。このとき、被写体Ｂの音声は第一のマイクロフォン１１で、使用者Ａの音声は第二のマイクロフォン８でひろわれるため、確実にそれぞれの音声を録音することができる。また、カメラは第一の筐体の外側だけではなく、内側に設けても良い。また第二の筐体２の外側にカメラ及び第一のマイクロフォン１１を設けても良い。さらに、第一の筐体１と第二の筐体２はヒンジ３にて支持されているが、ヒンジ以外の構成で支持しても良い。
【００４１】
（実施の形態２）
以下、本発明の第２の実施の形態に係る携帯電話装置の動作を図面を用いて説明する。
図７は、本発明の第二の実施の形態に係る携帯電話装置の第一の筐体２０１を開いたときの外観図を、図８は、第一の筐体２０１を閉じたときの外観図を示している。第一の筐体２０１は第二の筐体２０２に対してヒンジ３で開閉自在に支持しているのは、既に説明した第一の実施の形態の携帯電話装置と同じであるが、第二の筐体２０２の側面にはカメラ用ボタン１２、録音ボタン１３に加えて、音量増大ボタン２０３、音量減少ボタン２０４と、マイク切替ボタン２０５を設けている。カメラモード、あるいは録音モードが開始した状態で音量増大ボタン２０３を押すとマイクロフォン１１の利得が大きくなり、音量減少ボタン２０４を押すとマイクロフォン１１の利得が小さくなるようにしている。また、カメラモードが開始した後、マイク切替ボタン２０５を押すと、音声を入力するマイクロフォンを第一の筐体２０１の外側のマイクロフォン１１あるいは第二の筐体２０２にあるマイクロフォン８のどちらかだけに選択できるようにしている。なお、他の部分については、既に図１、図２を用いて説明した第一の実施の形態に係る携帯電話装置と同じなので、同じ部分には同じ番号を付して、説明を省略する。
【００４２】
図９に、本発明の第二の実施の形態に係る携帯電話装置の制御動作のフローチャートを示す。図９において、携帯電話装置に電源が入り（ステップＳ１）、着信待ち受け状態となり（ステップＳ２）、着信がない状態で（ステップＳ３）、カメラ用ボタン１２が長押しされると（ステップＳ８）、カメラモードの制御が始まり（ステップＳ９）、第一の筐体の開閉状態に応じてマイクロフォンの利得が切り替えられ、カメラ５が動作し、外部から見えるティスプレィにモニター画像が表示されるまでの動作ステップは既に図６で示したのと同じである。第二の実施の形態に係る携帯電話装置では、モニター表示しているときに第二の筐体２０２の側面のマイク切替ボタン２０５が押されると（ステップＳ２１）、音声を拾うマイクロフォン１１として、マイクロフォン１１と８のいずれか一つを選択し、マイク切替ボタン２０５を押す毎に交互に選択状態が切り替わるようにしている。例えば、第一の筐体２０１が開いた状態でカメラモードの動作が始まると、ステップＳ１１によりマイクロフォン１１の利得が大きくなっているが、マイク切替ボタン２０５を押すと、マイクロフォン１１の利得をゼロに切り替え、マイクロフォン８の利得を大きくする。このことにより、既に説明した図４のように、携帯電話装置の第一の筐体を開き、カメラ５で被写体Ｂを撮影しているときに、携帯電話装置の使用者の声を録音することができる。そして、更にマイク切替ボタン２０５を次々と押すことにより、使用者Ａと被写体Ｂの声を交互に録音するということもできる。
【００４３】
なお、ステップ２１において、第二の筐体２０２の側面の音量増大ボタン２０３あるいは音量減少ボタン２０４を押すと、マイクロフォンの切替と同時に選択しているマイクロフォンの利得を増大したり、減少させることもできるようにしている。
【００４４】
（実施の形態３）
以下、本発明の第三の実施の形態に係る携帯電話装置の動作を図面を用いて説明する。図１０は、本発明の第三の実施の形態に係る携帯電話装置の第一の筐体３０１を開いたときの外観図を示している。本発明の第三の実施の形態に係る携帯電話装置は、第一の筐体３０１の外側に動画を撮像できるカメラ３０６を搭載し、おなじく第一の筐体３０１の内側に動画を撮像できるカメラ３０７を搭載して、動画像と音声を無線送信するテレビ電話として構成している。また、第一の筐体３０１の側面には、第一の筐体３０１が閉じたときでもスピーカ７の音声が外に出るように音孔２０７を開けている。その他の基本的な構成部分については、第二の筐体３０２の側面に、音量増大ボタン２０３、音量減少ボタン２０４、そしてマイク切替ボタン２０５等を設けた点など、既に第二の実施の形態の携帯電話装置と同じであるため、同じ部分については、同じ番号を付して説明を省略する。
【００４５】
図１１に、本発明の第三の実施の形態に係る携帯電話装置の制御動作のフローチャートを示す。図１１において、携帯電話装置に電源が入り（ステップＳ３１）、着信待ち受け
状態となり（ステップＳ３２）、着信があると（ステップＳ３３）、テレビ電話による着信か否かを判定する（ステップＳ３４）。着信がテレビ電話で無ければ、全体制御手段４１は第一の筐体３０１を開いた状態でマイクロフォン８で通話する音声通話モードの通話動作を開始する（ステップＳ３５）。すなわちマイクロフォン１１の利得をゼロにし、マイクロフォン８の利得を通常の通話レベルにする。そして、キー操作部３９から通話を終了する信号が入力されると（ステップＳ３７）、再び着信待ち受け状態に戻る。
【００４６】
図１１のステップＳ３４で、テレビ電話の着信があったと判定すると（ステップＳ３４）、全体制御手段４１はテレビ電話モードの制御を開始する（ステップＳ３８）。全体制御手段４１は、開閉検出手段３８により第一の筐体３０１の開閉状態を検出し（ステップＳ３９）、第一の筐体３０１が開いていると（ステップＳ３９）、マイクロフォン１１の利得をゼロにし、マイクロフォン８の利得を通常の通話レベルにするとともに、カメラ３０７を駆動して第一の筐体３０１の内側にあるディスプレイ６にカメラ３０７のモニター画像３０３と送信されてきたテレビ電話画像３０４を表示する（ステップＳ４０）。そして、画像と音声を送受信して通話する（ステップＳ４１）。
【００４７】
なお、テレビ電話モードの制御を開始したときに第一の筐体３０１が閉じていたとき、あるいは開いていた第一の筐体３０１が閉じたときには、マイクロフォン１１の利得を通常の通話レベルより大きくし、マイクロフォン８の利得をゼロに切り替え、カメラ３０６で撮像した画像をティスプレイ１０にモニター表示する（ステップＳ４３）。第一の筐体３０１が閉じた状態でも、既に説明した音孔２０７からスピーカ７の音声が聞こえるので、第一の筐体３０１を閉じた状態でも、ディスプレイ１０のモニター画像を見ながら、使用者の顔をカメラ３０６で撮影し、使用者の音声をマイクロフォン１１から拾って送信することにより、テレビ電話の通話を行うことができる。
【００４８】
また、図１１のフローチャートでは、第一の筐体３０１を開いた状態でテレビ電話の通話中に、使用者を撮影するカメラをカメラ３０７から３０６に切り替える用にしておけば、携帯電話装置を使用している使用者だけでなく、その反対側の画像と音声を送信することもできる。
【産業上の利用可能性】
【００４９】
本発明にかかる携帯電話装置は、筐体の外側にマイクロフォン及びカメラを設け使用状況に応じてマイクロフォンの利得を切り替えるようにしているため、音声録音機能及びカメラ機能を備える携帯電話装置等に有用である。
【図面の簡単な説明】
【００５０】
【図１】本発明の第１の実施の形態に係る携帯電話装置の外観図
【図２】本発明の第１の実施の形態に係る携帯電話装置の外観図
【図３】本発明の第１の実施の形態に係る携帯電話装置のブロック図
【図４】本発明の第１の実施の形態に係る携帯電話装置を使用する時の外観図
【図５】本発明の第１の実施の形態に係る携帯電話装置を使用する時の外観図
【図６】本発明の第１の実施の形態に係る携帯電話装置の制御動作のフローチャート
【図７】本発明の第２の実施の形態に係る携帯電話装置の外観図
【図８】本発明の第２の実施の形態に係る携帯電話装置の外観図
【図９】本発明の第２の実施の形態に係る携帯電話装置の制御動作のフローチャート
【図１０】本発明の第３の実施の形態に係る携帯電話装置の外観図
【図１１】本発明の第３の実施の形態に係る携帯電話装置の制御動作のフローチャート
【図１２】従来の携帯電話装置の外観図
【図１３】従来の携帯電話装置の外観図
【符号の説明】
【００５１】
１  第一の筐体
２  第二の筐体
３  ヒンジ
５  カメラ
６  メインディスプレイ
７  スピーカ
８  第二のマイクロフォン
９  テンキー
１１  第一のマイクロフォン
１２  カメラ用ボタン
１３  録音ボタン
【図１】
2005136569.tif 000003
【図２】
2005136569.tif 000004
【図３】
2005136569.tif 000005
【図４】
2005136569.tif 000006
【図５】
2005136569.tif 000007
【図６】
2005136569.tif 000008
【図７】
2005136569.tif 000009
【図８】
2005136569.tif 000010
【図９】
2005136569.tif 000011
【図１０】
2005136569.tif 000012
【図１１】
2005136569.tif 000013
【図１２】
2005136569.tif 000014
【図１３】
2005136569.tif 000015